(57)【要約】    【課題】  従来の、ダブルコピー機能では、裁断した面がギザギザした状態であると、均一な印刷物とはならなかった。さらに、裁断が斜めに行われると、２辺でしか揃わないことになる。    【解決手段】  用紙の第１の面の第１の画面には原稿画像データを第１の方向で印字するとともに、用紙の第１の面の第２の画面には原稿画像データを第１の方向から１８０゜回転させた第２の方向で印字する回転ダブルコピー機能を設けることで、画像に対する裁断面は全てのコピー物に対して同じとなり、上記課題を解決できる。    【選択図】    図５
2005260514.tif 000002
【特許請求の範囲】
【請求項１】
１枚の用紙の同一面に２つの原稿画像データを並べて印字するダブルコピー機能を有する画像形成装置において、
用紙の第１の面の第１の画面には原稿画像データを第１の方向で印字するとともに、用紙の第１の面の第２の画面には原稿画像データを第１の方向から１８０゜回転させた第２の方向で印字する回転ダブルコピー機能を選択する回転ダブル機能選択手段を有することを特徴とする画像形成装置。
【請求項２】
用紙の上下左右の余白のうち少なくとも１つを設定する余白設定手段と、前記回転ダブルコピー機能が選択され、余白の設定がされていることを条件として、用紙の第１の面の第１の画面には原稿画像データを第１の方向で上記余白設定に基づき印字するとともに、用紙の第１の面の第２の画面には第１の方向から１８０゜回転させた第２の方向に対応する上記余白設定に基づき、原稿画像データをこの第２の方向で印字する回転ダブルコピー余白制御手段とを有することを特徴とする請求項１に記載の画像形成装置。
【請求項３】
１枚の用紙の同一面に２つの原稿画像データを並べて印字するダブルコピー機能を選択するダブルコピー機能選択手段と、用紙カセットに収納された用紙が予め設けられたミシン目で切り離すことのできる用紙であることを設定できる用紙種類設定手段と、前記ダブルコピー機能が選択され、かつ用紙種類がミシン目で切り離すことのできる用紙が選択されていることを条件として、前記回転ダブルコピー機能が選択される第１のダブルコピー機能選択制御手段を有することを特徴とする請求項１、２のいずれかに記載の画像形成装置。
【請求項４】
１枚の用紙の同一面に２つの原稿画像データを並べて印字するダブルコピー機能を選択するダブルコピー機能選択手段と、裁断位置を示すマークを印字する裁断位置マーク印字手段と、前記ダブルコピー機能が選択され、かつ裁断位置を示すマークを印字するモードであることを条件として、前記回転ダブルコピー機能が選択される第２のダブルコピー機能選択制御手段を有することを特徴とする請求項１〜３のいずれかに記載の画像形成装置。
【発明の詳細な説明】
【技術分野】
【０００１】
本発明は複写機、ファクシミリ、プリンタなどの機能を有する複合装置などの画像形成装置、特に、１枚の用紙の同一面に２つの画像を並べて印字することのできる画像形成装置に関する。
【背景技術】
【０００２】
従来、用紙のサイズに関わらずコピーカウントを同じ価格設定にしている場合が多い。これは例えばＡ４サイズの用紙１枚にコピーするのもＡ３サイズの用紙１枚にコピーする場合も同じカウント数となる。従来技術１としては、このようなカウント設定になっている画像形成装置を用いて、例えばＡ４サイズの用紙にコピーしたものが２枚欲しい場合は、Ａ３サイズの１枚の用紙の同一面に２つのＡ４サイズの画像を並べてコピーしたあと１画像単位で裁断すると、カウントの節約になり経費の節減ができる（例えば特許文献１を参照。）。
【０００３】
従来技術２としては、上記従来技術１と同じような技術で、大きいサイズの用紙の両面に各々２つの画像を印字したあと、これを各画像単位で裁断して重ねた場合に、ページ順が昇順に揃うように制御する技術がある（例えば特許文献２を参照。）。ここには、裁断するときの目印となるラインを印字する技術も記載されている。
【０００４】
その他、従来技術３としては、通常ショップで販売されている用紙のほとんどがＡ４サイズであることから、これにならって販売するときにはＡ４サイズであるが、用いる時にはＡ５サイズとして用いることのできる、センターに予めミシン目が施されている用紙に対して、２つの画像を印字して、あとでミシン目に従って切り離して用いるものがある。
【特許文献１】特開２００２−２８１２７８号公報
【特許文献２】特開２００１−２０２２２７号公報
【発明の開示】
【発明が解決しようとする課題】
【０００５】
しかし、前記特許文献１、２の技術では、切り口がギザギザするような裁断のされかたや、ミシン目の用紙を切り離した場合は、図１の（ａ）に示すように、一方の用紙束には右側に裁断された跡があり、もう一方の用紙束には左側に裁断された跡が残り、これらを重ねて１つの印刷物束とした場合に均一な印刷物とは言い難い。また、裁断するときに誤って少し斜めにカットした場合は、重ねたものの両端が全く揃わなくなってしまう。例えば、図２の（ａ）に示すように、裁断された用紙束２つを重ねた場合に、斜めにカットされたものは上下２辺しか揃わず、両端２辺は角度が異なるので揃えることができない。さらに、特許文献２の技術では、裁断するときの目印があるがために、裁断された切り口の周辺には目印が残り見た目に悪い。破線などでこの目印がある場合はさほど目立たないが、矢印などを目印としている場合は、図５の（ａ）に示すように、裁断したあとの用紙の右や左に目印が残ることになる。本願発明の目的は、１つの用紙の１つの面に２つの画像を印字したあとに、この用紙を２つに裁断して用いるときに、できるだけ均一な印刷物を得ることを目的とする。
【課題を解決するための手段】
【０００６】
上記課題を解決するために、本願第１の発明は、１枚の用紙の同一面に２つの原稿画像データを並べて印字するダブルコピー機能を有する画像形成装置において、用紙の第１の面の第１の画面には原稿画像データを第１の方向で印字するとともに、用紙の第１の面の第２の画面には原稿画像データを第１の方向から１８０゜回転させた第２の方向で印字する回転ダブルコピー機能を選択する回転ダブル機能選択手段を有することを特徴とする画像形成装置を用いる。
【０００７】
本願第２の発明は、用紙の上下左右の余白のうち少なくとも１つを設定する余白設定手段と、前記回転ダブルコピー機能が選択され、余白の設定がされていることを条件として、用紙の第１の面の第１の画面には原稿画像データを第１の方向で上記余白設定に基づき印字するとともに、用紙の第１の面の第２の画面には第１の方向から１８０゜回転させた第２の方向に対応する上記余白設定に基づき、原稿画像データをこの第２の方向で印字する回転ダブルコピー余白制御手段とを有することを特徴とする第１の発明に記載の画像形成装置を用いる。
【０００８】
本願第３の発明は、１枚の用紙の同一面に２つの原稿画像データを並べて印字するダブルコピー機能を選択するダブルコピー機能選択手段と、用紙カセットに収納された用紙が予め設けられたミシン目で切り離すことのできる用紙であることを設定できる用紙種類設定手段と、前記ダブルコピー機能が選択され、かつ用紙種類がミシン目で切り離すことのできる用紙が選択されていることを条件として、前記回転ダブルコピー機能が選択される第１のダブルコピー機能選択制御手段を有することを特徴とする第１、２の発明のいずれかに記載の画像形成装置を用いる。
【０００９】
本願第４の発明は、１枚の用紙の同一面に２つの原稿画像データを並べて印字するダブルコピー機能を選択するダブルコピー機能選択手段と、裁断位置を示すマークを印字する裁断位置マーク印字手段と、前記ダブルコピー機能が選択され、かつ裁断位置を示すマークを印字するモードであることを条件として、前記回転ダブルコピー機能が選択される第２のダブルコピー機能選択制御手段を有することを特徴とする第１〜３の発明のいずれかに記載の画像形成装置を用いる。
【発明の効果】
【００１０】
本願第１の発明を用いれば、１つの用紙に２つの画像を印字して、これを裁断して用いる場合に、図１の（ｂ）に示すように、裁断面がギザギザした場合などに、画像に対して同じ辺がこの裁断面となるので、均一な印刷物を得ることができる。また、図２の（ｂ）に示すように、裁断するときに、少し斜めにカットした場合であっても、少なくとも３辺が揃った印刷物を得ることができる。
【００１１】
第１の発明において、余白の設定がされていた場合には、例えば、画像データを用紙内で移動させて余白を設けようとすると、第１の画面はその設定通りに第１の移動方向に移動して余白ができるが、第２の画面が第１の移動方向に移動しても、裁断した仕上がり用紙では、設定したものとは反対方向に余白ができることになる。これは図３の（ａ）、（ｂ）に示すように、画面の左に余白を設定するために画像を右方向へ移動した場合に、第１の画面の画像データは右へ移動することになるが、第２の画面の画像データは、第１の方向とは１８０゜回転した状態で印字されるので、仕上がり用紙上では左へ動いたことになり、第１の画面の印字された用紙と第２の画面の印字された用紙が揃わなくなってしまう。
【００１２】
また、別の例では、予め原稿の下にページが印字されていたものをコピーするときに、このページ番号を消す為の余白を設定するが、第１の画面はその設定通りに余白ができるが、第２の画面では、裁断した仕上がり用紙には設定したものとは反対方向に余白ができることになる。このような場合は、例えば図３の（ｃ）に示すように、原稿の下の方にページ番号が付与された原稿をコピーしようとした場合に、下方向に余白を設定することにより第１の画面のページ番号は消去できるが、第２の画面の仕上がり用紙は、画面に対して上方向に余白が設定されたことになり、この画面のページ番号が付与されることはない。
【００１３】
そこで、本願第２の発明を用いれば、第１の方向に印字された原稿画像データには、この画像に対応する余白が設定され、かつ第２の方向に印字された原稿画像データには、この画像に対応する余白が設定されるので、図４の（ａ）や図４の（ｂ）に示すように、第１の画面と第２の画面では各々異なる位置に余白設定がされることにより、回転ダブルコピーがされた場合には、裁断された仕上がり用紙ではそれぞれ同じ設定の余白ができる。
【００１４】
本願第３の発明を用いれば、特に裁断面が目立つミシン目の入った用紙を切り離して用いる場合であれば、自動的に回転ダブルコピー機能に切り替わることで、より本願第１の発明の効果を得ることができる。
【００１５】
本願第４の発明を用いれば、図５の（ｂ）に示すように、裁断位置の目印が印字されたものを用いるモードであれば、自動的に回転ダブルコピー機能に切り替わることで、より本願第１の発明の効果を得ることができる。
【発明を実施するための最良の形態】
【００１６】
まず、本願の発明に用いる用語を図６用いて説明する。用紙の第１の面とは、印字される用紙のオモテ面と定義する。第１の画面とは、用紙の長手方向に２分割したときのどちらか一方の画面のことであり、第２の画面とはもう一方の画面のことである。図中では、左の画面を第１の画面とし、右の面を第２の画面としている。第１の方向とは、用紙上の原稿画像の方向であり、図中は第１の画面において、ポートレートで「Ａ」の文字が上下が正しく印字されている。この第１の方向と１８０゜回転させた方向である第２の方向には第２の画面において、ポートレートで「Ｂ」の文字が上下が逆に印字される。
【００１７】
それでは、本願発明を採用する複合装置を図７の概略図に基づいて説明する。同図にこの複合装置１はコピー、プリンタ、ファクシミリ、スキャナの機能を有する複合装置で、ＣＰＵ２、ＲＯＭ３、ＲＡＭ４、メール作成手段５、プリンタコントローラ６、プリンタ部７、後処理装置用Ｉ／Ｆ８、後処理装置９、操作パネル１０、スキャナ用Ｉ／Ｆ１１、スキャナ部１２、自動原稿搬送装置１３、画像記憶手段１４、ビットマップメモリ１５、ＣＯＤＥＣ１６、モデム１７、ＮＣＵ１８、公衆回線１９、ネットワークＩ／Ｆ２０、バス２１などから構成されている。またこの複合装置１はネットワークケーブル２２を介してＰＣ（２４，２５）やプリンタ２３と接続されている。
【００１８】
詳しくは、前記ＣＰＵ２は当該画像形成装置１の各構成を制御しており、各種プログラムを記憶した前記ＲＯＭ３、ユーザーチョイスデータ、設定情報、トータルカウントデータ、各種フォントデータなどを記憶した前記ＲＡＭ４に接続されている。
【００１９】
メール作成手段５は、ネットワークスキャナ機能において用いるもので、スキャナ部１２で読み取られた画像データを、予め登録した相手先へ電子メールに添付して送信するときの電子メールを作成する手段である。
【００２０】
前記プリンタコントローラ６は、接続されたパソコンから送信され、画像記憶手段１４の受信領域に格納されているプリントコマンド（ＰＤＬ）やジョブ情報を解析し、中間言語情報を生成するものである。この中間言語情報は画像記憶手段１４の中間言語情報記憶領域に格納される。
【００２１】
前記プリンタ部７は、前記ビットマップメモリ１５に展開されている画像データを順次このプリンタ部７の作像部のＬＳＵ又はＬＰＨなどの潜像を書き込む光学装置に送り、この作像部でトナー像を形成し、これを給紙カセットから順次給紙、搬送される用紙に転写し、定着、排紙される。
【００２２】
前記後処理装置用Ｉ／Ｆ８と前記後処理装置９は、この複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００２３】
前記操作パネル１０は、図８に示すように大型のＬＣＤデバイスであるＬＣＤ表示部１０１、スタートキー１０２、ストップクリアキー１０３、リセットキー１０４（オールクリアキー）、初期設定キー１０５、節電キー１０６などの複数の操作キーから構成されている。この画像形成装置は複合装置なので操作表示部はコピー機能画面、プリンタ機能画面、ファクシミリ機能画面、スキャナ機能画面を操作パネル１０の左にある選択キーにより切り替え可能である。
【００２４】
前記ＬＣＤ表示部１０１に表示される画面は、コピー機能においては、図９に示す基本画面と、この画面の下にある複数のタブのうち「ユーザー機能」を選択すると「ユーザー機能画面」（機能画面の１つ）が表示される。さらに「機能リスト」のタブを選択すると、図１０に示す「機能リスト画面」（機能画面の１つ）などが表示される。その他、プリンタ機能、ネットワークスキャナ機能、ファクシミリ機能の画面に切り替えることができる。
【００２５】
スキャナＩ／Ｆ１１は、この複合装置１の上に置かれたスキャナ部１２とケーブルを介して接続し、このスキャナ部１２と自動原稿搬送装置１３を制御するためのインターフェースである。
【００２６】
前記スキャナ部１２は、自動原稿搬送装置１３で１枚づつフィードされる、または１枚をコンタクトガラス上に置いた原稿にハロゲンランプまたは蛍光灯で光を当てその反射光をＣＣＤセンサで読み取り、このアナログ信号をＡ／Ｄ変換でデジタル信号に変換し画像処理部で画像処理をして後段のビットマップメモリ１５に展開され、コピー機能においては、このビットマップメモリ１５に展開された画像はＣＯＤＥＣ１６で符号化されて前記画像記憶手段１４に格納される。さらに、このビットマップメモリ１５は、前記スキャナ部１２からの画像データの他、ネットワークなどを介して接続されたパソコンから転送されてくるプリントコマンドを前記プリンタコントローラ７で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
【００２７】
前記画像記憶手段１４は、上述したコピー機能や受信画像領域や中間言語領域の他、通常ファクシミリのメモリ送信、予約送信を行う場合に、スキャナ部１２で読み取った画像データをＣＯＤＥＣ１６で符号化して記憶する。またスキャナ機能を用いる場合は、スキャナ部１２で読み取った画像データをＣＯＤＥＣ１６で符号化して記憶したものを外部のパソコンから読み取ることもできるし、同じようにファクシミリのポーリング機能では、相手方ファクシミリから読み出すことも可能である。近年は画像形成装置に比較的大きい容量の画像データ格納用のハードディスクを用いて画像メモリとしているのも多い。
【００２８】
前記モデム１７は、公衆回線１９から送信されてくるアナログ信号をデジタル信号に変換し、また逆にデジタル信号をアナログ信号に変換して公衆回線で送信するためのものであり、変調、復調を行ったり、ＨＤＬＣフレームのみを受信するなど行う。前記ＮＣＵ１８は、公衆回線への接続、ファクシミリと電話の切り替え、回線へのオンフック信号の送出、リング検出などを行う。
【００２９】
ネットワークＩ／Ｆ２０は、当該複合装置１をネットワークに接続するインターフェースである。ここではパソコン（２４、２５）やプリンタ２３や図示していないその他の接続機器とネットワークケーブル２２を介して接続されている。
【００３０】
前記バス２１は、上述した各構成のデータや信号のやり取りを行うバスである。それぞれ画像データ用のバスや制御信号用のバスがあるが、ここでは略して１つで表している。
【００３１】
続いて、本願発明を採用する複合装置で、ダブル機能や回転ダブル機能を設定するための表示について説明する。まず、上記図１０の機能リスト画面の複数の機能選択キーの中から、図中の上から２段目の右にある、「ダブル」キーを選択すると、図１１のダブルコピー機能設定画面に切り替わる。この表示状態では、ダブルコピー機能は選択されておらず、この表示画面で画面左に並んだ３つのキーの「ダブル」キーを選択すると、図１２の表示に切り替わり、従来技術１に記載されたものと同じようなダブルコピー機能が選択される。また、「回転ダブル」キーを選択すると、図１３の表示に切り替わり、本願第１の発明の回転ダブルコピー機能が選択される。
【００３２】
上記図１２、１３では、「ダブル」、「回転ダブル」の選択キーその右にある上下２つのキーのうち上を選択すると、１枚の用紙に同じ画像が並んで印刷されるモードとなり、下のキーを選択すると、Ｐページの画像を用紙の１枚目からＮ枚目までの第１の画面には１〜Ｎページの画像が印字されており、１〜Ｎ枚目までの第２の画面には、Ｎ＋１〜Ｐページ（Ｐが奇数の場合はＮ枚目の第２画面は白紙となる）の画像が印字されるモードとなる。さらにその右には、裁断用の目印を印字するためのキーが設けられており、画面のさらに右には、原稿の画像方向とセット向きなどを選択するキーが設けられている。
【００３３】
続いて、本願第２の発明に関して説明する。まず余白の設定の１つである「とじしろ」設定を行う場合、上記図１０の機能リストの３段目の左から２番目の「とじしろ／センター移動」キーを選択すると、図１４に示す画面に切り替わる。この表示状態では、余白に関する設定はされておらず、この表示画面で画面左に並んだ３つのキーの「とじしろ」キーを選択すると、図１５の表示に切り替わる。この表示では、「とじしろ」キーなどの右には、用紙と画像の位置関係を表すアイコン表示がされており、その下には上下方向へ画像を移動させる設定値を入力するカーソルと、さらにアイコン右には左右方向へ画像を移動させる設定値を入力するカーソルが設けられている。この図の表示では、画像を右方向に６ｍｍ移動させて、右にとじしろを設定している。
【００３４】
上記とじしろの設定状態で、回転ダブルコピー機能を選択しコピーを実行すると、図１６に示すように第１の面の第１の画面には、上に１０ｍｍのとじしろが設けられるように「Ａ」の文字が図中下方向へ移動するとともに第１の方向で印字される。また、第１の面の第２の画面には、下に１０ｍｍのとじしろが設けられるように（文字に対しては、上方向）「Ｂ」の文字が図中下方向へ移動するとともに第２の方向で印字される。この印刷物を裁断すると図１６の下の２枚のように、画像の方向に対してとじしろ位置の同じコピー物が得られる。また、画像の移動に伴い、となりの画面にはみ出した画像は、そのはみ出した領域に関しては印字されない。
【００３５】
また、別のとじしろ設定として、図１７では、画像を下方向に１０ｍｍ移動させて、上にとじしろを設定する表示がされている。上記とじしろの設定状態で、回転ダブルコピー機能を選択しコピーを実行すると、図１８に示すように第１の面の第１の画面には、上に１０ｍｍのとじしろが設けられるように「Ａ」の文字が図中下方向へ移動するとともに第１の方向で印字される。また、第１の面の第２の画面には、下に１０ｍｍのとじしろが設けられるように（文字に対しては、上方向）「Ｂ」の文字が図中上方向へ移動するとともに第２の方向で印字される。この印刷物を裁断すると図１８の下の２枚のように、画像の方向に対してとじしろ位置の同じコピー物が得られる。
【００３６】
詳細な説明は記載しないが、回転ダブルコピー機能が選択された状態で、センター移動や、画像を移動させることなく余白を設定する場合であっても、同様に、各画面単位でセンター移動や、余白を設定すると、同じ効果となる。
【００３７】
続いて第３の発明について説明する。用紙にミシン目の用紙がセットされていることを設定するには、まず、図８の初期設定ボタン１０５を操作すると、図１９の初期設定画面が表示され、この画面で「マシン初期設定」キーを操作すると、図２０のマシン初期設定画面が表示される。この画面では、画面の左に表示される各設定項目を画面右のカーソルで選択した上で「設定値変更」キーを操作すると、対応する設定画面に切り替わる。たとえば、画面左の「用紙種類（カセット２）」キーを選択して、「設定値変更」キーを操作すると、図２１の用紙種類の画面に切り替わる。この画面において「普通紙」キーを選択すると、このカセット２には普通紙がセットされているものと設定、表示される。本願第３の発明を利用するには、このカセット２にミシン目で裁断する用紙がセットされている場合には、ユーザーがマニュアルで上述した手順で図２１の用紙種類の画面にし、この画面の中程にある「ミシン目」キーを選択して、このカセットの用紙種類をミシン目に設定する必要がある。また、用紙種類にミシン目用紙が設定されている場合は裁断目印は不要となるので、上述した図１２、１３では裁断目印を選択できないようにするとよい。
【００３８】
本願第３の発明、及び第４の発明の処理について、図２２を用いて説明する。まず、ダブルコピー機能が選択されているか否かを判断し（Ｓ１０１）、されていなければ処理は終了し、されていれば、次に選択された給紙位置のカセットには、ミシン目用紙がセットされているか否かを判断し（Ｓ１０２）、ミシン目用紙であれば自動的に回転ダブルコピー機能が選択され（Ｓ１０４）、この処理は終了する。Ｓ１０２で選択した給紙位置のカセットにミシン目用紙がセットされていない場合は、裁断目印が選択されているか否かを判断し（Ｓ１０３）、選択されている場合は、Ｓ１０４に進み回転ダブルコピー機能が選択され処理は終了し、選択されていない場合はそのまま回転ダブルコピー機能のまま処理は終了する。
【００３９】
上述してきた実施例は、コピー機能におけるものであるが、プリンタ出力をする場合のプリントアウトの設定で行うこともできる。この場合はアプリケーションの印刷メニューから、出力の設定を行うことになる。
【００４０】
以上、本願第１〜４の発明を用いれば、１つの用紙に２つの画像を印字して、これを裁断し用いる場合には、裁断面が多少ギザギザ医した場合であっても、全体としては揃ったものになるので、均一な印刷物を得ることができる。
【図面の簡単な説明】
【００４１】
【図１】従来技術１、２における印刷物と、本願の第１の発明による印刷物の比較を説明するための概略図である。
【図２】従来技術１、２における印刷物と、本願の第１の発明による印刷物の比較を説明するための概略図である。
【図３】本願の第１の発明において、従来と同じ方法で余白の設定を行った場合の印刷物の説明するための概略図である。
【図４】本願の第２の発明を用いて、余白の設定を行った場合の印刷物の説明するための概略図である。
【図５】従来技術２における印刷物と、本願の第４の発明による印刷物の比較を説明するための概略図である。
【図６】本願発明の用語を説明するための概略図である。
【図７】本願発明を採用する複合装置及び周辺機器のブロック図である。
【図８】本願発明を採用する複合装置の操作パネルである。
【図９】本願発明を採用する複合装置の操作パネルのＬＣＤ表示部に表示される基本画面である。
【図１０】本願発明を採用する複合装置の操作パネルのＬＣＤ表示部に表示される機能リスト画面である。
【図１１】本願発明を採用する複合装置の操作パネルのＬＣＤ表示部に表示されるダブルコピー機能を設定するため（設定されていない状態）の画面である。
【図１２】本願発明を採用する複合装置の操作パネルのＬＣＤ表示部に表示されるダブルコピー機能に関する設定を行う画面である。
【図１３】本願発明を採用する複合装置の操作パネルのＬＣＤ表示部に表示される回転ダブルコピー機能に関する設定を行う画面である。
【図１４】本願発明を採用する複合装置の操作パネルのＬＣＤ表示部に表示されるとじしろ、センター移動を設定するため（設定されていない状態）の画面である。
【図１５】本願発明を採用する複合装置の操作パネルのＬＣＤ表示部に表示されるとじしろを設定するための画面である。
【図１６】本願の第２の発明を用いて、画像の左方向にとじしろの余白の設定を行った場合を説明するための概略図である。
【図１７】本願発明を採用する複合装置の操作パネルのＬＣＤ表示部に表示されるとじしろを設定するための画面である。
【図１８】本願の第２の発明を用いて、画像の上方向にとじしろの余白の設定を行った場合を説明するための概略図である。
【図１９】本願発明を採用する複合装置の操作パネルのＬＣＤ表示部に表示される初期設定に関する画面である。
【図２０】本願発明を採用する複合装置の操作パネルのＬＣＤ表示部に表示されるマシン初期設定に関する画面である。
【図２１】本願発明を採用する複合装置の操作パネルのＬＣＤ表示部に表示されるカセットにセットされた用紙種類を設定する画面である。
【図２２】本願第３、４の発明の処理に関するフローチャートである。
【符号の説明】
【００４２】
１；複合装置
２；ＣＰＵ
３；ＲＯＭ
４；ＲＡＭ
５；メール作成手段
６；プリンタコントローラ
７；プリンタ部
８；後処理装置用Ｉ／Ｆ
９；後処理装置
１０；操作パネル
１１；スキャナ用インターフェース
１２；スキャナ部
１３；自動原稿搬送装置
１４；画像記憶手段
１５；ビットマップメモリ
１６；ＣＯＤＥＣ
１７；モデム
１８；ＮＣＵ
１９；公衆回線
２０；ネットワークＩ／Ｆ
２１；バス
２２；ネットワークケーブル
２３；プリンタ
２４、２５；ＰＣ
２６；相手方ファクシミリ
【図１】
2005260514.tif 000003
【図２】
2005260514.tif 000004
【図３】
2005260514.tif 000005
【図４】
2005260514.tif 000006
【図５】
2005260514.tif 000007
【図６】
2005260514.tif 000008
【図７】
2005260514.tif 000009
【図８】
2005260514.tif 000010
【図９】
2005260514.tif 000011
【図１０】
2005260514.tif 000012
【図１１】
2005260514.tif 000013
【図１２】
2005260514.tif 000014
【図１３】
2005260514.tif 000015
【図１４】
2005260514.tif 000016
【図１５】
2005260514.tif 000017
【図１６】
2005260514.tif 000018
【図１７】
2005260514.tif 000019
【図１８】
2005260514.tif 000020
【図１９】
2005260514.tif 000021
【図２０】
2005260514.tif 000022
【図２１】
2005260514.tif 000023
【図２２】
2005260514.tif 000024